(57)【要約】【課題】冊子の背幅を制御できる紙折り装置を提供する。【解決手段】紙テーブルに紙送りローラ機構13, 14を設け、紙テーブル11の上方にV溝ローラ15とクランプ16を配置する。V溝ローラとクランプはそれぞれ昇降機構により下降及び上昇し、下降したV溝ローラは紙テーブルの前端上側の角に接触する。紙送りローラ機構は制御部によって送り量を制御され、紙テーブルへ供給された一組の紙Pの幅をW、背の内面幅をWBとすれば、（W-WB）/２の長さが紙テーブルから突出するまで送り、V溝ローラとクランプを下降する。V溝ローラは紙テーブルの前端上側の角に沿って転動して紙を直角に折り曲げる。その後に紙をWBだけ送り、再度V溝ローラによる直角プレスを行って角型の背を有する冊子を成形する。【選択図】  図１
2004203541.tif 000002
【特許請求の範囲】
【請求項１】
紙テーブルと、紙テーブル上の紙を移動させる紙送り機構と、紙テーブルの前端上側角部へ斜めに接するｖ溝ローラと、ｖ溝ローラを紙テーブルの前端に沿って転動させるローラ移動機構と、紙送り機構とローラ移動機構を制御する制御部を備え、紙送り機構により紙テーブル上の紙を前方へ移動して紙の一部を紙テーブルから超過させ、ｖ溝ローラを紙テーブルの前端に沿って転動させることにより紙を折り曲げ、さらに紙テーブル上の紙を前方へ移動してｖ溝ローラにより紙を折り曲げてコ型断面の冊子を製本するように構成した紙折り装置。
【請求項２】
紙の寸法情報と冊子の背の内面幅設定値に応じて紙の送り量を制御する制御手段を備えた請求項１記載の紙折り装置。
【請求項３】
上記ｖ溝ローラの溝の内角が90度以下である請求項１または２記載の紙折り装置。
【請求項４】
上記紙テーブル上の紙を固定するクランプ機構を備え、ｖ溝ローラによるプレス工程時に紙を固定するように構成した請求項１、２または３記載の紙折り装置。
【発明の詳細な説明】
【０００１】
【発明の属する技術分野】
この発明は、中綴じした紙を二つ折りして冊子を製本する紙折り装置に関するものであり、特に、冊子の背を角型に成形する紙折り装置に関するものである。
【０００２】
【従来の技術】
複数枚の紙を二つ折りにして小冊子を形成する紙折り装置として、紙の折曲げ部位をローラによりプレスして冊子の背を角型に成形する方法および装置が提案されている（特許文献１参照）。図6はこの種の紙折り装置を示し、用紙テーブル1上にセットされた紙Pの中心を昇降式のブレード2により下方へ押して、図7に示すように紙Pの中心を停止板3へ押しつけ、図8に示すように紙Pの折曲げ部位を一対のクランピングジョー4により左右からクランプした後に停止板3を退避させ、一対のクランピングジョー4の間から下方へ突出している紙Pの先端をローラ5により押し潰して冊子の背を角型に成形する。
【０００３】
【特許文献１】特開2001-260564号公報
【０００４】
【発明が解決しようとする課題】
紙を単に平折りした冊子ではなく、表紙と裏表紙との間に平坦な背を有する冊子を製本する場合において、頁数や紙厚の差異にかかわらず均一な背幅にしたい場合や背幅を任意に設定したい場合がある。しかし、二つ折りにした紙をクランプにより左右から挟んで固定し、クランプ間から下方へ突出している紙の先端をローラにより押し潰して冊子の背を角型に成形する従来の紙折り装置では、背幅はほぼ紙厚×頁数となって背幅の調整は不可能である。そこで、冊子の背幅を制御できる機能を備えた紙折り装置を提供するために解決すべき技術的課題が生じてくるのであり、本発明は上記課題を解決することを目的とする。
【０００５】
【課題を解決するための手段】
この発明は、上記目的を達成するために提案するものであり、紙テーブルと、紙テーブル上の紙を移動させる紙送り機構と、紙テーブルの前端上側角部へ斜めに接するｖ溝ローラと、ｖ溝ローラを紙テーブルの前端に沿って転動させるローラ移動機構と、紙送り機構とローラ移動機構を制御する制御部を備え、紙送り機構により紙テーブル上の紙を前方へ移動して紙の一部を紙テーブルから超過させ、ｖ溝ローラを紙テーブルの前端に沿って転動させることにより紙を折り曲げ、さらに紙テーブル上の紙を前方へ移動してｖ溝ローラにより紙を折り曲げてコ型断面の冊子を製本するように構成した紙折り装置を提供するものである。
【０００６】
また、紙の寸法情報と冊子の背の内面幅設定値に応じて紙の送り量を制御する制御手段を備えた上記紙折り装置を提供するものである。
また、上記ｖ溝ローラの溝の内角が90度以下である上記紙折り装置を提供するものである。
【０００７】
また、上記紙テーブル上の紙を固定するクランプ機構を備え、ｖ溝ローラによるプレス工程時に紙を固定するように構成した上記紙折り装置を提供するものである。
【０００８】
【発明の実施の形態】
以下、この発明の実施の一形態を図に従って詳述する。図１は紙折り装置の機構を示し、二つ折りすべき紙Pを載せる紙テーブル11の紙送り方向中間部には紙送りローラ機構を配置するために窓12が設けられていて、窓12の下に紙送りローラ機構の主動ローラ13を配置し、窓12の上に従動ローラ14を配置している。主動ローラ13の上面の高さは紙テーブル11の上面の高さと一致していて、アーム或いはレバーなどに取付けて上下移動できるようにした従動ローラ14をバネにより主動ローラ13へ弾接させて紙束の厚さの差異に対応するようにしている。主動ローラ13は制御部により回転量を制御され、前段の処理装置によりステープルで中綴じされて送り込まれた一組の紙または手操作により挿入された一組の紙を紙テーブル11上に引き込み、紙Pの横幅（図において左右幅）に応じた紙送りを行う。
【０００９】
紙テーブル11の前方（図において左）の上に配置したV溝ローラ15は、ほぼ90度のV溝が形成されていて軸心は紙テーブルの前後方向且つ45度の角度で前傾しており、ローラ昇降機構（図示せず）により45度の角度で斜めに昇降し、下降時には溝の谷が紙テーブル11の前端上側の角に接する。V溝ローラ15はローラ移動機構（図示せず）により横方向（図の表裏方向）へ往復移動されるが、初期位置は紙テーブル11上の紙Pの手前または奥であって紙Pの範囲から外れている。また、紙テーブル11上には昇降式のクランプ16を配置しており、紙折り時にはクランプ16を下降させて紙テーブル11上の紙Pを固定する。
【００１０】
次に、紙折り装置の動作を説明する。紙テーブル11の後方（図において右）から一組の紙Pが送り込まれると、制御部は紙Pの寸法情報と背幅設定値に基づいて主動ローラ13を駆動し、主動ローラ13と従動ローラ14とに挟まれた紙Pを前方へ送る。紙Pの横幅をW、背の内面幅設定値をWBとすれば、紙Pの送り量が(W-WB)/2となったときに主動ローラ13を停止し、このとき、背の一端となる箇所が紙テーブル11の前端と同一位置に位置する。
【００１１】
続いて、図2に示すようにクランプ16を下降して紙テーブル11上の紙Pを固定するとともに、V溝ローラ15を下降してV溝ローラ15の谷を紙テーブル11の前端上側の角に弾接させる。そして、ローラ移動機構によりV溝ローラ15を前端上側の角に沿って転動させることにより、V溝ローラ15が紙Pに乗り上げて紙Pの前部は紙テーブル11の前端から下方へ直角に折り曲げられる。このとき、紙テーブル11上の紙Pはクランプ16によって固定されているので位置がずれることがなく、紙の横辺に対して直角な折り曲げ線が形成される。
【００１２】
V溝ローラ15が紙を通過して折り曲げを終了した後に、図3に示すようにV溝ローラ15とクランプ16とを上昇し、主動ローラ13を駆動して紙Pを背の内面幅設定値WBに相当する距離だけ移動する。そして、図4に示すようにクランプ16を下降して紙テーブル11上の紙Pを固定し、V溝ローラ15を下降してV溝ローラ15の谷を紙テーブル11の前端上側の角に弾接させ、図2の工程と同様にローラ移動機構によりV溝ローラ15を前端上側の角に沿って転動させる。これにより、V溝ローラ15が紙に乗り上げて紙を直角に折り曲げ、角型の背を有する冊子が成形される。尚、V溝ローラ15のプレス行程は一行程でも往復行程であってもよい。また、図5に示すように、V溝ローラ17の溝の内角を90度以下の鋭角とし、紙テーブル11の前端上側の角も溝の内角に合わせた鋭角形状として紙Pを90度以上折り曲げることにより冊子の膨らみを抑えるようにしてもよい。
【００１３】
尚、この発明は上記の実施形態に限定するものではなく、この発明の技術的範囲内において種々の改変が可能であり、この発明がそれらの改変されたものに及ぶことは当然である。
【００１４】
【発明の効果】
以上説明したように、本発明の紙折り装置は、紙テーブルの端部にV溝ローラを斜めに接触させて転動させる機構を設け、紙送り機構により紙テーブル上の紙の一部を紙テーブルから超過させてV溝ローラにより折り曲げ、さらに紙を移動してV溝ローラにより折り曲げてコ形断面の冊子を成形するように構成したので、紙の移動量により冊子の背幅を制御でき、従来不可能であった背幅の任意設定や頁数が異なる冊子の背幅の統一が可能となる。また、V溝ローラの溝の内角を90度以下の鋭角とすることによって、紙の折り曲げ角が90度以上となり、膨らみを押さえた平坦な冊子が成形される。
【図面の簡単な説明】
【図１】本発明の実施の一形態を示し、紙折り機構部の側面図。
【図２】紙折り機構部の作動工程を示す側面図。
【図３】紙折り機構部の作動工程を示す側面図。
【図４】紙折り機構部の作動工程を示す側面図。
【図５】他の実施形態を示し、紙折り機構部の作動工程を示す側面図。
【図６】従来例を示し、紙折り装置の側面図。
【図７】図6の紙折り装置の作動工程を示す側面図。
【図８】図6の紙折り装置の作動工程を示す側面図。
【符号の説明】
11     紙テーブル
12     窓
13     主動ローラ
14     従動ローラ
15     V溝ローラ
16     クランプ
17     V溝ローラ
P      紙
【図１】
2004203541.tif 000003
【図２】
2004203541.tif 000004
【図３】
2004203541.tif 000005
【図４】
2004203541.tif 000006
【図５】
2004203541.tif 000007
【図６】
2004203541.tif 000008
【図７】
2004203541.tif 000009
【図８】
2004203541.tif 000010